(57)【要約】  本発明は，拘束領域３１１内で少なくとも一つの捕捉部材４０１を捕捉するためのクリップ３００に関する。ゲート３２０は拘束領域の開口３１０ａを封鎖し，それにより前記捕捉部材を捕捉する。前記クリップは取付けフックのような取付け部材３５０で人に取付けてもよい。携帯電話１０のようなパーソナル装置は，拘束領域内に配置し得る捕捉部材によりクリップに固定されてもよい。従って，前記パーソナル装置を人が身に付ける場合はクリップにより取付け可能である。本発明は，係止領域５３０内で留保部材４０３を捕捉可能な留め具５００にも関する。
2005515006.tif 000002
【特許請求の範囲】
【請求項１】
本体と，
前記第一及び第二開口を備えた，少なくとも一つの捕捉部材を捕捉可能な拘束領域と，
前記第一開口を封鎖可能な第一ゲートと，
第二開口を封鎖可能な第二ゲートとを備えたクリップであって，
各ゲートが少なくとも一つの捕捉部材が拘束領域に入出できるよう開き，前記各ゲートが少なくとも一つの捕捉部材を捕捉するよう閉じることが可能なクリップ。
【請求項２】
前記第一開口が入口であり，前記第二開口が出口である請求項１記載のクリップ。
【請求項３】
前記第一ゲートが入口ゲートであり，前記第二ゲートが出口ゲートである請求項１記載のクリップ。
【請求項４】
前記拘束領域が該拘束領域を通って延長する凹部により形成された請求項１記載のクリップ。
【請求項５】
前記拘束領域が，実質的に前記拘束領域の長さに延長した挿入可能なライナを含む請求項１記載のクリップ。
【請求項６】
少なくとも一つのゲートが押圧部材である請求項１記載のクリップ。
【請求項７】
前記押圧部材が板である請求項６記載のクリップ。
【請求項８】
前記押圧部材が回動自在に前記本体に取付けられた請求項７記載のクリップ。
【請求項９】
前記押圧部材が入口ゲートである請求項８記載のクリップ。
【請求項１０】
前記出口ゲートが前記捕捉部材を前記拘束領域から解放することを許容する出口部材を含む請求項３記載のクリップ。
【請求項１１】
前記出口部材が出口ピンである請求項１０記載のクリップ。
【請求項１２】
前記拘束領域の前記第一及び第二入口に向かって先細になる位置決めチャネルを更に備えた請求項１記載のクリップ。
【請求項１３】
前記本体の裏面が取付け部材を受けるよう適合された請求項１記載のクリップ。
【請求項１４】
前記本体の前記裏面が，連結具を受ける少なくとも一つの受孔部を含む請求項１３記載のクリップ。
【請求項１５】
前記受孔部が，前記連結具を前記受孔部内に固定するよう付勢された調節可能な孔部である請求項１４記載のクリップ。
【請求項１６】
取付け部材が前記調整可能な孔部と係合することにより少なくとも一つの連結具で前記本体の前記裏面に取付け可能である請求項１５のクリップ。
【請求項１７】
前記本体に取付けられた取付け部材を更に備えた請求項１記載のクリップ。
【請求項１８】
前記取付け部材が環，板，クリップ及びフックから成るグループから選択される請求項１７記載のクリップ。
【請求項１９】
前記拘束領域に位置する捕捉部材を更に含む請求項１７記載のクリップ。
【請求項２０】
前記捕捉部材が装置に取付けられる請求項１９記載のクリップ。
【請求項２１】
本体と，
開口を含む，少なくとも一つの捕捉部材を捕捉可能な拘束領域と，
前記拘束領域の前記開口に位置する，前記開口を封鎖可能なゲートと，
前記拘束領域の前記開口に向かって先細になる位置決めチャネルとを備えたクリップであって，
前記ゲートを開くと，少なくとも一つの捕捉部材が前記拘束領域を入出可能となり，前記ゲートを閉じると，前記捕捉部材が前記拘束領域内に捕捉されるクリップ。
【請求項２２】
少なくとも一つの軌道を有する第一部材と，
少なくとも一つの往復台を有する第二部材と，
留保部材を収容するための前記第一部材と前記第二部材との間に位置する係止領域とを備えた留め具であって，
前記往復台は，前記第一部材が前記第二部材に対して摺動できるよう，前記軌道に沿って移動可能であり，
前記第一部材は，前記留保部材を前記係止領域内に配置することを許容するために，前記第二部材に対して第一位置へ移動可能であり，前記第一部材は，前記係止領域内に前記留保部材を固定するために，前記第二部材に対して第二位置へ移動可能である留め具。
【請求項２３】
前記第一部材がベース部材であり，前記第二部材が摺動部材である請求項２２記載の留め具。
【請求項２４】
前記摺動部材が第二位置に位置するよう付勢される請求項２３の留め具。
【発明の詳細な説明】
【技術分野】
【０００１】
本発明は,パーソナル装置及び物品（personal device and articles）を保護するための固定システムに関する。本発明は携帯電話への使用に関して記載されている。しかし，当然のことながら，前記固定システムは鍵，セキュリティカード，カメラ，携帯ビデオレコーダ，電子オーガナイザ又はパーソナル携帯情報機器（ＰＤＡ），全地球測位システム（ＧＰＳ）とそれらに類する物品のような様々な物品を保護するために使用されてもよい。
【背景技術】
【０００２】
携帯電話は，ビジネスの必需品及び個人的な通信のための一般的な手段となった高価な製品である。従って，ユーザは，ある場所から別の場所に移動する場合，携帯電話を持ち運ぶ。
【０００３】
携帯電話の携帯方法の一つは，ユーザのポケットに入れて持ち運ぶことである。電話機を使用するには，ユーザが電話機をポケットから探す必要があり，煩雑で，比較的安全性を欠く。携帯電話は不意にポケットから落ちることがある。これにより，携帯電話を紛失したり傷つけることがある。更に，スリにより容易に携帯電話を盗まれる可能性がある。
【０００４】
携帯電話を携帯するための別の一般的な方法としては，ベルトクリップを使用する方法がある。前記ベルトクリップは，通常，携帯電話に直接取付けるか，携帯電話を保護するケースに取付けられる。それから，前記ベルトクリップをユーザのベルトに挟む。ユーザに取付けると携帯電話は容易に利用できるが，嵩張り，電話機の動きが制限される。電話機を取付けた一般的な公知のベルトクリップはしばしば使い心地が悪く，動きが制限されることにより，携帯電話がユーザの脚を押し付け，及び／又は，ユーザの動きにより電話機が不意にクリップから外れることがある。このような公知のクリップは電話機の裏面に直接取付けるため，ユーザの外側に突出する。このような装置は身に付ける際に，電話が物体と衝突することにより破損する可能性をより高める。
【０００５】
更に別の一般的な携帯電話の携帯方法は，ハンドバッグやリュックサックのようなバッグに入れて運ぶことである。これにより携帯電話の安全性は増すが，利便性は減る。携帯電話がバッグの中で鳴れば，ユーザは携帯電話を見つけるためにバッグの中を探さなければならない。携帯電話を探すのに時間がかかり，電話が切れてしまうことがしばしばある。
【０００６】
携帯電話の最近の傾向では音声通信が不要な「ＳＭＳテキストメッセージ」又は視覚型メッセージを表示することが増えている。従って，通信のために電話機がユーザの頭部付近にある必要は無い。前記背景技術は，ディスプレイ又はキーパッドを見るために電話機をポケットから取り出し，又は，保管場所から電話機を取り外す必要がある。これは不便であり，電話機を落とし，或いは紛失する危険性を高める。
【発明の開示】
【発明が解決しようとする課題】
【０００７】
本発明の目的は，前記短所を克服及び／又は軽減し，消費者に利便性又は商業上の選択肢（commercial choice）を提供することである。
【課題を解決するための手段】
【０００８】
第１の態様では，クリップは，
本体と，
第一及び第二開口を備えた，少なくとも一つの捕捉部材を捕捉可能な拘束領域と，
前記第一開口を封鎖可能な第一ゲートと，
前記第二開口を封鎖可能な第二ゲートとを備え，
各ゲートが少なくとも一つの捕捉部材を拘束領域に入出できるよう開き，前記各ゲートが，拘束領域を出る少なくとも一つの捕捉部材を捕捉するよう閉じることが可能である。
【０００９】
好ましくは，第一開口は入口であり，第二開口は出口である。
【００１０】
好ましくは，第一ゲートは入口ゲートであり，第二ゲートは出口ゲートである。
【００１１】
好ましくは，各ゲートは他のゲートと独立して開放可能である。
【００１２】
拘束領域は該拘束領域を通って延長する凹部により形成されてもよい。
【００１３】
好ましくは拘束領域は直線状である。
【００１４】
拘束領域は，実質的に前記拘束領域の長さに延長した挿入可能なライナを含んでもよい。
【００１５】
本明細書に記載の通り，捕捉部材は固定プラグ，回動プラグ，延長プラグ及び回転プラグを含むプラグでもよい。
【００１６】
少なくとも一つのゲートが押圧部材でもよい。
【００１７】
押圧部材は板でもよい。
【００１８】
押圧部材は本体に回動自在に取付けられてもよい。
【００１９】
押圧部材は好ましくは入口ゲートである。
【００２０】
クリップは，拘束領域の入口に向かって先細になる位置決めチャネルを更に備えてもよい。
【００２１】
出口ゲートは，捕捉部材を拘束領域から解放することを許容する出口部材を含んでもよい。
【００２２】
好ましくは，出口部材は出口ピンである。
【００２３】
出口ピンは，押圧部材の端部に対向する拘束領域の端部に配置されてもよい。
【００２４】
ある形態では，クリップは該クリップを物品に取付けるための取付け部材を備える。
【００２５】
クリップの本体の裏面は取付け部材を受けるよう適合されてもよい。
【００２６】
本体の裏面は，連結具を受ける少なくとも一つの受孔部を含んでもよい。
【００２７】
好ましくは，取付け部材は，少なくとも一つの連結具により本体の裏面に着脱自在に取付け可能である。
【００２８】
より好ましくは，取付け部材は，前記連結具で受孔部と係合することにより着脱自在に本体の裏面に取付け可能である。
【００２９】
連結具は，ねじ，ボルト，ピン又は連結具に類したその他のものでもよい。
【００３０】
ある形態では，取付け部材は円錐形のヘッドを有する少なくとも一本のピンを備える。
【００３１】
別の形態では，取付け部材は円形のヘッドを有する少なくとも一本のピンを備える。
【００３２】
好ましくは，取付け部材は２本のピンを含む。
【００３３】
連結具は本体の裏面に設けた受孔部と係合するよう適合されてもよい。
【００３４】
受孔部は，連結具を受けるために開き，連結具を固定するために閉じるよう付勢される調節可能な孔部でもよい。
【００３５】
取付け部材は，環，板，クリップ，フック又はクリップを物品に固定する別の適切な部材を備えてもよい。
【００３６】
ある形態のクリップは，クリップに取付けた取付け部材を備える。
【００３７】
本発明のある形態では，クリップは装置に取付けた捕捉部材を更に備えることが好ましく，それにより前記捕捉部材は，クリップの拘束領域に位置する時に装置をクリップに取付ける。
【００３８】
好ましくは，捕捉部材は，拘束領域に位置する時には，装置が少なくとも部分的にクリップに吊り下がることを許容する。
【００３９】
装置は，電話機，電子プランナ，カメラ，鍵，電子オーガナイザ，全地球測位システム，ケーブルリトラクタ又は他のあらゆる適切な装置を含んでもよい。
【００４０】
装置を捕捉部材でクリップに取付けると，装置をクリップから取り外さずに，ディスプレー，スクリーン，キーパッド等を正しい方向で見ることが出来る。
【００４１】
第二の態様では，必ずしも最も広い範囲或いは唯一の態様ではないが，本発明はクリップに関するものであって，前記クリップは，
本体と，
開口を含む，少なくとも一つの捕捉部材を捕捉可能な拘束領域と，
前記拘束領域の前記開口に位置する，前記開口を封鎖可能なゲートと，
前記拘束領域の前記開口に向かって先細になる位置決めチャネルとを備え，
前記ゲートを開くと，少なくとも一つの捕捉部材が前記拘束領域を入出可能となり，前記ゲートを閉じると，前記捕捉部材が前記拘束領域内に捕捉される。
【００４２】
第三の態様では，本発明は留め具に関するものであって，前記留め具は，
少なくとも一つの軌道を有する第一部材と，
少なくとも一つの往復台を有する第二部材と，
留保部材を収容するための前記第一部材と前記第二部材との間に位置する係止領域とを備え，
前記往復台は，前記第一部材が前記第二部材に対して摺動できるよう，前記軌道に沿って移動可能であり，
前記第一部材は，前記留保部材を前記係止領域内に配置することを許容するために，前記第二部材に対して第一位置へ移動可能であり，前記第一部材は，前記係止領域内に前記留保部材を固定するために，前記第二部材に対して第二位置へ移動可能である。
【００４３】
第一部材はベース部材でもよく，第二部材は摺動部材でもよい。
【００４４】
摺動部材は，使用しない時は第二位置に位置するよう付勢されてもよい。
【００４５】
第四の態様では，本明細書に記載の通り，本発明はリトラクタに関するものであって，別々に，又は本発明の第一，第二及び第三の態様と組み合わせて使用してもよい。
【００４６】
当然のことながら，電話器を少なくとも部分的にクリップに吊り下げることにより，電話機の外側に延長する外形が小さくなるよう，クリップが電話機（又は他の適切な装置）を捕捉部材によりユーザに取付けることを許容してもよい。これにより，すれ違う物品との偶発的な接触による電話機の損傷を減らすことが可能であり，電話機を身に付けているユーザに，改良された快適さを提供することができる。電話機を正しい方向，すなわち，ユーザに取付けた際に表を上にしてスクリーン及び数を見ることも可能である。
【００４７】
更に，本発明のある形態では，前記クリップの特徴により，電話機に取付けた捕捉部材（例えばプラグ）を拘束領域で一方向に動かすことにより，クリップから電話を容易に着脱することが可能となる。又，当然のことながら，前記及び本明細書に記載のクリップ及び留め具は，あらゆる適切な組合せ及びその他の適切な装置，例えばリトラクタとの組み合わせで使用されてもよい。これらの，そしてその他の利点は本明細書の記載により，より明らかになるであろう。
【００４８】
この明細書全体を通して，前後関係が別の意味を要求しない限り，「含む(comprise)」及びその変形である「含む(comprises)」又は「含む(comprising)」という語句は，定まった整数又は整数のグループ，又はステップを含むが，他のあらゆる整数又は整数のグループを除外するものではないことを意味すると理解される。
【００４９】
本発明を容易に理解し，実際的な効果を得るために，部品に符号を付した添付図面を参照した例により好ましい実施例を記載する。
【発明を実施するための最良の形態】
【００５０】
簡易脱着機構のないクリップ
図１Ａ〜１Ｉはクリップ（３００）の第一実施例を示す。管状（３１０）の形状の凹部は，本体（３０１）の一部を通って延長し，拘束領域（３１１）を形成する。拘束領域（３１１）は第一開口（３１０ａ），例えば頂部入口及び第二開口（３１０ｂ），例えば底部出口により画定され，各開口は入口ゲートとして示される第一ゲート（３２０）及び出口ゲートとして示される第二ゲート（３３０）により封鎖できる。入口ゲートは，管状（３１０）の開口（３１０ａ）の近くに設けた押圧板（３２０）として示され，第二ゲート（３３０）は，第二開口（３１０ｂ）の近くに設けた出口ピンとして示される。
【００５１】
押圧板（３２０）は，先細の位置決めチャネル（３４０）内に設けられ，第一ねじ（３２１）により本体（３０１）に取付けられる。位置決めチャネル（３４０）は開口（３１０ａ）に向かって先細となる。取付け部材は，ねじ孔（３２１ａ，３２２ａ）に配置可能な第一及び第二ねじ（３２１，３２２）を使用して本体（３０１）に取付けられる取付けクリップ（３５０）として示される。取付けクリップ（３５０）は，例えばねじ，リベット，溶接，接着剤等のあらゆる適切な連結具によりクリップに固定される。
【００５２】
出口ピン（３３０）はバネ（３３１）により付勢され，管状（３１０）の下部開口（３１０ｂ）が閉鎖する。中空チャンバ（３６７）内の出口ピン（３３０）を保持し，回転を防ぐためにピン（３６６）は出口ピン（３３０）に取付け可能であり，図１Ｅ及び図１Ｇの実施例に示すように，ピン（３６６）はバネ（３３１）に接触する。図１Ｇに示すように，出口ピン（３３０）は，開口（３１０ｂ）と出口ピン（３３０）内に設けた円弧状孔部（３３２）とを対応させ，管状（３１０）を開放するよう押圧可能である。
【００５３】
図１Ｄに示すように，プラグ（４００）として示される捕捉部材は，拘束領域（３１１）内で捕捉される。ここで使用される「捕捉される」という語句は，拘束領域内に捕捉部材が保持又は固定されることを指す。ゲートが閉じて拘束領域の開口を封鎖すると，捕捉部材は拘束領域内に捕捉される。プラグ（４００）を捕捉するために，プラグ（４００）は押圧板（３２０）に対して押圧される。これにより，押圧板（３２０）が押下げられ，管状（３１０）の上端部又は開口が開く。その後，位置決めチャネル（３４０）がプラグ（４００）を案内しながら，プラグ（４００）は管状（３１０）の開口（３１０ａ）へ移動する。一旦プラグ（４００）のヘッド（４０１）が管状（３１０）に入ると，押圧板（３２０）は，プラグ（４００）のヘッドが外れてゲートが閉じることを防ぐ開始位置に戻る。プラグ（４００）のステム（４０２）は，管状（３１０）を介して延長する。
【００５４】
図１Ｆに示すように，プラグ（４００）が拘束領域（３１０）から除去されると，出口ピン（３３０）が押圧され，出口ゲート（３３０）が開き，プラグ（４４０）は管状（３１０）から摺動する。
【００５５】
クリップ（３００）の前記特徴により，プラグ（４００）をクリップ（３００）に着脱する際にプラグ（４００）が一方向に移動可能となる。図は下方への一方向を示し，電話機を着脱するための便利かつ簡単な手段を提供するプラグ及び取付けられた電話機の下方への解放は，重力により促進される。しかし，当然のことながら，本発明の代替実施例は捕捉部材を頂部及び底部開口の拘束領域に入出可能にするゲートを含む。例えば，出口ゲート（３３０）のようなゲート，又は図１９Ａ〜図１９Ｆに示すゲート（８３０）は，開口（３１０ａ，３１０ｂ）の一方又は両方を使用してもよい。
【００５６】
管状（３１０）の長さは適切な長さであればよい。ある実施例では，管状（３１０）は複数のプラグ（４００）を収容してもよく，別の実施例では，拘束領域（３１１）内でプラグ（４００）が殆ど摺動しないよう，管状（３１０）は本質的にプラグ（４００）を保持するのに充分な長さを有する。管状（３１０）は直線状に示されているが，管状（３１０）は湾曲していてもよく，鋸歯状やその他の形状でもよい。
【００５７】
プラグ（４００）は，図８Ａ及び図８Ｂでプラグ（４０２）として，図８Ｃ〜８Ｈでプラグ（７００）として示される実施例を含んでもよい。
【００５８】
例えば図１Ｈ，図１Ｉ，図６Ｃ及び図６Ｆの実施例に示すように，クリップ（３００）の特徴により電話機（１０）が実質的にクリップ（３００）に吊下げられる。当然のことながら，この装置をクリップに取付けると，電話機の外形が最小になる。電話機の裏面に取付けられる通常の携帯電話のクリップのケースである電話機の外側に延長する外形にクリップの幅が大きく加えられることがないよう，クリップは電話機が少なくとも部分的にクリップに吊り下げられることを許容する。この装置は，電話機が物品に偶発的に衝突することによって傷つく可能性も減らす。これにより，クリップ及び電話機を身に付けるユーザの利便性を高めることが出来る。
【００５９】
図１Ｈ及び１Ｉに示すように，クリップ（３００）は取付けクリップ（３５０）によりベルト（１２）に吊り下げられる。図１Ｈ及び図１Ｉに示すように，クリップ（３００）は，リトラクタ（１００）又は携帯電話（１０）のような，プラグ（４００）を取付け可能なあらゆるものを固定するために使用できる。
【００６０】
一本のピンの簡易脱着機構
図１Ｊ〜図１Ｏは本明細書に記載の「簡易脱着」方法の取付け部材のピンを固定するのに適した調節可能な孔部を含むクリップ（３０２）の別の実施例を示す。捕捉部材を捕捉するためのクリップ（３０２）の操作は，前記の記載と同様である。
【００６１】
２枚の板（３６０）及び（３６１）はクリップ（３０２）の裏面に取付けられる。板（３６０）が固定されると，板（３６１）が相互に固定され，コイルバネ（３７０）により板（３６０）の方へ付勢される。円弧状孔部（３６２，３６３）は，調節可能な孔部を形成する各板に設けられる。つまみ（３６４）は，板（３６１）の一部を形成し，クリップ（３０２）の側面から接触可能である。
【００６２】
裏蓋板（３８０）はクリップ（３０２）の裏面を形成する。孔（３８１）及び（３８２）は，蓋板（３８０）をねじ孔（３２１ａ，３２２ａ）を介して本体に取付けるためのねじ（図示せず）を配置するために使用される。孔（３８３）は，図１Ｋに示すピン（３９０）を設けるために使用される。
【００６３】
ピン（３９０）は，ヘッド（３９１）及びシャフト（３９２）を有する。チャネル（３９３）は，シャフト（３９２）に設けられる。ピン（３９０）はクリップ（３０２）を衣服又はベルトのような物品に取付けるために使用される。
【００６４】
ピン（３９０）は，シャフト（３９２）が孔（３８３）を通ることによりクリップ（３０２）に接続する。シャフト（３９２）の端部は，円弧状孔部（３６２，３６３）と係合し，板（３６１）を板（３６０）から強制的に離す。板（３６０，３６１）は，ピン（３９０）を握持するためにチャネル（３９３）と係合する。図１Ｏに示すように，ピン（３９０）は，つまみ（３６４）を上方へ動かすことにより取り外され，板（３６１）が板（３６０）から離れる。これにより，円弧状孔部（３６２，３６３）が，ピン（３９０）を取り外すチャネル（３９２）を緩める。
【００６５】
クリップは，物体に取付けるための多くの異なる手段を有してもよく，このような手段は前記に記載され，図１Ｐ〜図１Ｓに示された取付け部材を含む。図１Ｐは，クリップ（３０２）が壁のような適切な平面に取付けられるように，接着片（３０５）を裏面に取付けた取付け部材の実施例を示す。着脱自在な保護カバー（３０５ａ）は使用前に接着片（３０５）を被覆する。図１Ｑはクリップ（３０２）に取付けた取付けクリップ（３５０）としての取付け部材の実施例を示す。取付けクリップ（３５０）は，図４Ｇ及び図４Ｈに示すピンと同様のピン（図示せず）を備える。図１Ｒはピン（３９０）として示す取付け部材のクリップ（３０２）への挿入を図示する。これは図１Ｋにも示される。図１Ｓはクリップ（３０２）の本体（３０１）に取付けた環（３０７）としての取付け部材を示す。クリップ（３０７）が不意に外れることが無く，更なる安全性を提供するために，環（３０７）をベルトに配置することができる。これらの取付け部材又はこれらに類する変形物は，クリップの他の実施例と共に使用されてもよい。
【００６６】
２本のピンのための簡易脱着機構を有するクリップ
図２Ａ〜図３Ｄは，クリップ（６００）の別の実施例を示す。捕捉部材を捕捉するためのクリップ（６００）の操作は，前記の別の形態のクリップと本質的に同様である。すなわち，捕捉部材は拘束領域（３１１）内に配置及び捕捉されてもよく，２つの独立した作動ゲートは拘束領域（３１１）の対向する開口（３１０ａ，３１０ｂ）の近隣に配置される。第一ゲートは，押圧板（６１２）という形で入口ゲートとして示され，第二ゲートは，出口ピン（３３０）という形で出口ゲートとして示される。クリップ（６００）は又，他の形状のクリップと同様の方法で拘束領域（３１１）の開口（３１０ａ）へ捕捉部材を向けるために，拘束領域の入口に向かって先細になる位置決めチャネル（３４０）を備えてもよい。
【００６７】
クリップ（６００）は，後述するように，「簡易脱着」機構を使用した２本のピンで取付け部材を固定するよう適合されることにより前述の形状と異なる。又，クリップ（６００）の出口ピン（３３０）は，中空チャンバ（３６７）に挿入される出口ピン（３３０）の端部に設けたバネ（３０６）により付勢される。出口ピン（３３０）は，図示の通り出口ピン（３３０）に取付けられ，楕円状孔部（３０４）へ延長するピン（３６６）によって中空チャンバ（３６７）内で保持される。記載の通り，裏蓋板（６１１）も変更された。
【００６８】
例えば図３Ｄに示すように，拘束領域（３１１）は挿入部又はライナ（３１１ａ）を更に備えてもよい。ライナは，本質的に管の一つの壁を切断する連続した長手方向のスリットを有する管である。プラグを拘束領域のライナに配置すると，スリットがプラグのネック部の通過を許容する。ライナはクリップの本体と異なるあらゆる適切な材料で作られてもよいため，ライナはチャネルの耐久性を高める。例えば，ライナの材料はステンレス鋼，捕捉部材が拘束領域内を移動することにより生じる摩擦及び摩耗を減らす材料，拘束領域と同じ材料又は他のあらゆる適切な材料でもよい。本明細書に記載の通り，ライナはクリップのあらゆる実施例と使用されてもよい。
【００６９】
図２Ａ及び図２Ｂに示すように，クリップ（６００）は本体（６０１）及び本体（６０１）の裏面に取付けられた２枚の板（６０２，６０３）を備える。本体（６０１）は，裏蓋板（６１１）を取付けるためのねじ孔（６１７，６１８，６１９），ねじを使用して取付け部材を取付けるためのねじ孔（６２０，６２１），及び以下に詳細に説明する取付け部材のピンを設けるための孔（６０８ａ，６０９ａ）を有する。楕円状孔部（３０４）は中空チャンバ（３６７）に接続し，それによりピン（３６６）を出口ピン（３３０）に取付けると，ピン（３６６）が孔部（３０４）内に配置され得る。凹部（６６５）は図示の通り，保持バネ（６１０）に適合している。ストッパ(Stops)（６６６）は，板（６０２，６０３）の内向運動を制限する。
【００７０】
各板（６０２，６０３）は，該板から延長する円弧状端部及び一対のフック部材を備える。板（６０２）はフック部材（６０４，６０５）を有し，板（６０３）はフック部材（６０６，６０７）を有する。各板（６０２，６０３）は，クリップ（６００）の本体（６０１）の裏面に対して摺動自在に取付けられ，コイルばね（６１０）により互いに付勢される。図３Ｄに示す各板（６０２，６０３）から突出したタブ（６０２Ａ，６０３Ａ）は，図２Ｇに示す凹部（６６５）に挿入可能である。タブ（６０２Ａ，６０３Ａ）は，各板（６０２，６０３）の外向運動を止める。ストッパ（６６６）は，板（６０２，６０３）の前方運動を制限する。
【００７１】
各調節可能な孔部（６０８，６０９）は，各フック部材（６０４，６０６）及び（６０５，６０７）によって形成される。以下に更に詳細に議論されるように，各調節可能な孔部（６０８，６０９）は，「簡易脱着」のためのピンのような連結具及び取付け部材の付属品を繰り返し受け、保持することに適している。
【００７２】
図３Ａ〜図３Ｃに示すように，裏蓋板（６１１）は図３Ｄに示すようにねじ（６６０，６６１，６６２）によりクリップ（６００）の本体（６０１）の裏面に取付け可能である。押圧板（６１２）は，裏板（６１３）に隣接し，位置決めチャネル（３４０）内に配置され得る。裏板（６１３）は，配置されたねじ（図３Ｄに示す）に使用される，裏蓋板（６１１）をクリップ（６００）の本体（６０１）の裏面に取付けるための孔（６１４，６１５，６１６）を含む。図２Ａ，図２Ｂ及び図２Ｇに示すクリップ（６００）の本体（６０１）の裏面に設けたねじ孔（６１７，６１８，６１９）は裏板（６１３）の各孔（６１４，６１５，６１６）とを対峙させ，これにより，裏蓋板（６１１）をクリップ（６００）の本体（６０１）の裏面に取付ける図３Ｄに示す取付けねじ（６６０，６６１，６６２）の入出が可能となる。
【００７３】
裏蓋板（６１１）の孔（６２０ａ，６２１ａ）は，ねじ孔（６２０，６２１）に取付ける各ねじにより，取付け部材，例えば図４Ａ及び図４Ｂに示す環状の取付け部材（６２４）をクリップ（６００）の本体（６０１）の裏面に取付けるためのねじを設けるために使用される。「簡易脱着」として本明細書に記載の取付け部材及びクリップ（６００）の付属部品は同様にねじを使用したクリップ（６００）に取付けられてもよい。
【００７４】
代わりに又は更に，取付け部材は，固定ピンによりクリップ（６００）の本体（６０１）の裏面に取付けられてもよい。固定ピンは，後述のように，円錐形又は円形でもよい。裏蓋板（６１１）の孔（６２５，６２６）は，図４Ａ〜４Ｎに示す板取付け部材（６３５），板取付け部材（６３３），クリップ取付け部材（６３４）及びフック取付け部材（６８０）に各々取付けられる円錐形のピン（６２７，６２８）及び円形のピン（６２９，６３０）の各々を配置するために使用される。固定ピンを使用したクリップ（６００）の本体（６０１）の裏面に取付けられる各取付け部材（６２４，６３３，６３４，６３５，６８０）は，本明細書に記載の「簡易脱着」方法で迅速且つ容易に着脱されても良い。
【００７５】
クリップ（６００）の前記実施例への使用に適した取付け部材（６２４，６３３，６３４，６３５，６８０）の実施例は，クリップ（３０２）の実施例に記載の取付け部材と類似している。しかし，顕著な相違点は，各調節可能な孔部（６０８，６０９）に着脱自在に挿入可能な一対のピンにある。当然のことながら，２本以上のピンはクリップに対する取付け部材の回転を防ぎ，又，より堅固な取付けを提供するという点で，２本以上のピンを備えた取付け部材は１本のピンを備えた取付け部材よりも有利である。
【００７６】
前記の通り，ピンは図４Ｄの板取付け部材（６３５）に示す尖った又は円錐形のヘッド，或いは図４Ｅ及び図４Ｆの板取付け部材（６３３），図４Ｇ〜図４Ｉのクリップ取付け部材（６３４）及び図４Ｊ〜図４Ｎのフック取付け部材（６８０）に示す円形のヘッドを有してもよい。
【００７７】
図４Ｃ及び図４Ｄに示すピン（６２７，６２８）は楕円形のベースプレートに取付けられ，各ピンは円錐形のヘッド（６３６）及びシャフト（６３７）を各々備える。ピンが貫通する部材の厚みに応じてどちらかのチャネル（６３８，６３９）に調節可能な孔部（６０８，６０９）を係合することにより，前記孔部を介してピンをクリップ（６００）に固定することを許容するチャネル（６３８，６３９）は，図示の通り各シャフト（６３７）に設けられる。
【００７８】
板取付け部材（６３５）の円錐形のピン（６２７，６２８）は，クリップ（６００）を衣服，バックパック，ベルト又はそれに類する物体のような物品に取付けるために使用される。円錐形のピン（６２７，６２８）は，クリップ（６００）の本体（６０１）の裏面と板取付け部材（６３５）との間の衣服を挟持するために，衣服を介して挿入されてもよい。円錐形のピン（６２７，６２８）は，取付けられた裏板（６１１）の各孔（６２５，６２６）を介して，各ヘッド（６３６）及びシャフト（６３７）を通過させ，クリップ（６００）の本体（６０１）の各調整可能な開口（６０８，６０９）及び各孔（６０８ａ，６０９ａ）に至りクリップ（６００）に取付けられる。各ピン（６２７，６２８）の各ヘッド（６３６）は調節可能な孔部（６０８，６０９）の各々に受容及び係合され，強制的に各板（６０３，６０２）を互いに離し，それにより各調節可能な孔部（６０８，６０９）を開く。
【００７９】
図２Ａ及び２Ｂは，一対のフック部材（６０４，６０６）及び一対のフック部材（６０５，６０７）の各々により形成される調節可能な孔部（６０８，６０９）を示す。図２Ａは開放位置にある調節可能な孔部（６０８，６０９）を示し，図２Ｂは閉鎖位置にある孔部（６０８，６０９）を示す。バネ（６１０）により板（６０２，６０３）が付勢されると，フック部材（６０４，６０６）及びフック部材（６０５，６０７）も又付勢され，それにより調整可能な孔部（６０８，６０９）は各ピン（６２７，６２８）のチャネル（６３８又は６３９）内に前記ピンを握持又は固定するために，前記チャネルを係合するのに適した閉鎖位置におかれる。
【００８０】
板（６０２，６０３）の円弧状端部に付勢されたコイルばね（６１０）に対して，クリップ（６００）の中心に向かって力をかけることによりピン（６２７，６２８）を取り外すことができる。そうすると，調節可能な孔部（６０８，６０９）はそれぞれ，広がるか，開放され（図２Ａ参照），これにより各ピンの各チャネル（６３８又は６３９）が緩み，各ピンが外れることが可能となる。図示される好ましい実施例では，ピンを外すために力をクリップ（６００）の中心に向かって，板（６０２，６０３）の円弧状端部に同時に加える必要がある。これにより，例えば物品が偶発的にぶつかることにより板の２つの円弧状端部のうちの一つが押圧された場合にピンが不意に外れることを防ぐ。
【００８１】
図４Ｅ及び４Ｆに示す板取付け部材（６３３）の各円形のピン（６２９，６３０）及び，図４Ｇ〜４Ｉに示すクリップ取付け部材（６３４）の各円形のピン（６２９，６３０）は図４Ｃ及び図４Ｄに示す円錐形のピンと類似しているが，ヘッドが円形である。各円形のピン（６２９，６３０）は，ヘッド（６４０）及びチャネル（６４２）を有するシャフト（６４１）を含む。円形のピン（６２９）の構成要素の符号は番号が付されていない円形のピン（６３０）の同様の構造にも該当する。前記円錐形のピン（６２７，６２８）と同様の動作は，クリップ（６００）から円形のピン（６２９，６３０）を挿入及び除去するために使用される。
【００８２】
取付け部材（６３３，６３４）を衣類の物品又は布片に取付けない場合は円形ヘッド（６４０）を使用してもよく，円錐形のピンは，ピンを布に通しやすくする。円形ヘッドは，物品の表面又はユーザの皮膚を不意に傷つけたり擦りつける，望ましくない鋭い接触を防止することができる。
【００８３】
図４Ｅ及び４Ｆに示す板取付け部材（６３３）は，クリップ（６００）を自動車のダッシュボード又は机，或いは壁等の表面に固定するために使用されてもよい。この形態では，接着剤を裏面（６４３）に塗布することにより，取付け部材をダッシュボードに接着してもよい。有用な接着剤類としては，接着剤，粘着テープ及び接着片を含む。
【００８４】
図４Ｇ〜４Ｉに示すクリップ取付け部材（６３４）は，クリップ（６００）をベルト，ポケット又は他の物体に固定するために使用可能なクリップを形成する板（６４４）を備える。クリップ取付け部材（６３４）は，隣接するＵ型の板（６４４）として示される。しかし，当然のことながら，クリップ取付け部材（６３４）が他の適切な形状を有してもよく，例えば，板（６４４）はばねにより付勢されてもよく，一つ或いは枢支される複数の片を備えてもよい。
【００８５】
板（６４４）は，クリップ取付け部材（６３４）の物品への固定を補助するための図示の保持部材（６３１）を有する。例えば，ベルトを取付け部材（６３４）の空間（６３２）に設けてもよい。クリップ取付け部材（６３４）は，別の実施例では保持部材（６３１）を備えていない。
【００８６】
図４Ａ〜図４Ｂに示す環状の取付け部材（６２４）は，クリップをベルト又は別のストラップに固定するために使用可能な環（６４５）を備える。環状の取付け部材（６２４）は，該環状の取付け部材（６２４）をクリップに取付けるためのねじ（６２２，６２３）を配置するための孔（６４６，６４７）を有する。前記環状取付け部材は，本明細書に記載の「簡易脱着」方法のクリップに取付けるピン（６２９，６３０）と同様の円形のピンも備えてよい（図示せず）。従って，環状取付け部材（６２４）は，ねじ及び／又はピンでクリップに固定されてもよい。他の取付け部材は，同様にねじ及び／又はピンでクリップに取付けられてもよい。
【００８７】
図４Ｊ〜図４Ｎは，本体（６８１）及びフック端部（６８２）を備えたフック取付け部材（６８０）を示す。本体（６８１）は，２本の円形のピン（６８３）を含むが，他の適切な数のピンが使用されてもよく，前記ピンが必ずしも円形である必要もなく，例えば本明細書に記載の通り円錐形でもよい。フック取付け部材（６８０）を，図４Ｃ〜４Ｉに示す取付け部材と同様の方法でクリップ（６００）の裏面に取付ける。すなわち，ピン（６８３）は着脱自在に挿入可能であり，クリップ（６００）の調節可能な固定孔部（６０８，６０９）内に保持可能である。
【００８８】
図４Ｊ〜４Ｎに示されるフック取付け部材（６８０）の実施例では，開口（６８４）によりベルト通し，リング，ハンドバッグ又は他の物品へフック取付け部材（６８０）を配置することが可能となる。例えば図１７Ａ〜１８Ｃに示す標準的なカラビナに一般的に付随するゲートで開口（６８４）を閉じる必要がない。その代わり，フック取付け部材（６８０）をクリップ（６００）の裏面に取付けると，図４Ｍに明らかに示すように，クリップ（６００）は開口（６８４）を被覆する。このように，クリップ（６００）は固定方法により取付けた物品の固定状態を保つ。
【００８９】
クリップ（６００）を物品から取り外すと，板（６０２，６０３）は調整可能な固定孔部（６０８，６０９）を開けるために内側へ押圧され，それによりピン（６８３）が前記固定孔部から外れる。フック取付け部材（６８０）をクリップ（６００）の裏面から外すと，物品をフック取付け部材（６８０）から外すために開口（６８４）が露出される。
【００９０】
フック取付け部材（６８０）の好ましい実施例が図４Ｊ〜４Ｎに示されるが，他の実施例も考慮される。例えば，ゲートは示されていないが，当然のことながら，付勢された，又は付勢されていないゲートがクリップ（６００）の裏面に同様に取付けられてもよい。このような実施例は，ゲートを閉じ，クリップ（６００）を物品に固定するための付勢手段を有する，より典型的なカラビナに類似していてもよい。適切なタイプのカラビナは図１７Ａ〜図１８Ｃに示すカラビナを含む。
【００９１】
例えばベルト通しに取付ける場合，フック取付け部材（６８０）はクリップ（６００）の移動も可能にする。クリップを電話機に取付ける場合，ユーザがクリップを動かすことにより電話機が移動及び配置されてもよい。このように，電話機が更に動くことにより，更にユーザは電話機をクリップから外さずに電話機のディスプレイを見ることが出来る。これは，ＳＭＳテキストメッセージ等を見るための前記効果がある。
【００９２】
当然のことながら，ピン及びクリップの「簡易脱着」固定機構を使用するため，前記取付け部材は，容易かつ迅速に交換可能である。クリップに固定した各取付け部材はクリップに堅固に取付けられる。従って，物体，例えばテーブル，壁及びブッシユに擦りつけられても，取付け部材が不意に外れることが防止される，或いは起こりえない。又，各取付け部材は，例えば，円型，正方形，長方形等のあらゆる適切な形状を有してもよい。図はねじ及びピンを備えた連結具を示すが，当業者が選択した他の連結具を使用してもよい。他の連結具は，ボルト，リベット，溶接等を含む。
【００９３】
本発明の実施例も，恒久的にクリップに固定され，交換不可能な取付け部材を備える。又，２本のピンがクリップ（６００）に示されているが，任意の適当な数のピン，例えば１本のピン又は２本以上のあらゆる数のピンを使用してもよい。
【００９４】
一つの開口を有する拘束領域を含むクリップ
図１９Ａ〜１９Ｆに示す本発明の別の実施例は，クリップ（８００）が，本体（８０１），管状の形状の凹部として示される拘束領域（８１１），ピンとして示されるゲート（８３０）及び位置決めチャネル（８４０）を備える。前記の本発明の他の形態に記載の通り，ライナ（図示せず）は又，拘束領域（８１１）に挿入されてもよい。
【００９５】
拘束領域（８１１）は開口（８１２），例えば入口を備え，捕捉部材の拘束領域（８１１）への入出を許容する。底端部（８１３）では，捕捉部材が拘束領域の底端部から出ることができないよう拘束領域（８１１）は閉じている。
【００９６】
ゲート（８３０）は拘束領域の入口に配置され，拘束領域（８１１）に設けられた入口を前記捕捉部材が通過し，前記拘束領域から除去されるよう，前記ゲートは開放可能である。ゲート（８３０）が閉じると，捕捉部材は拘束領域（８１１）内で保持され，捕捉される。図１９Ｆに示すように，ゲート（８３０）は入口（８１２）が溝（８３１）と対峙するようにピンを動かすことにより開く。図１９Ｄに示すように，溝（８３１）がこれ以上入口（８１２）と対峙しないよう，ピンを動かすことによりゲートは閉じ，その代わり，入口はピンにより封鎖される。図１９Ｅは，開放位置及び閉鎖位置からのゲート（８３０）の移動を示す。ゲート（８３０）は，溝（８３２）又は溝（８３３）のどちらかに設置可能な保持球（８３４）により，開放位置又は閉鎖位置にて固定される。保持球（８３４）は，ばね（８３５）によりピンに向かって付勢される。当然のことながら，ゲートは，他の形状を有してもよく，例えば，ゲートは，溝が開放位置にある入口と対峙するよう，溝を備えたピンを回転することによりゲートを開閉してもよく，溝が入口とこれ以上対峙しないようピンを回転することができる。
【００９７】
位置決めチャネル（８４０）は，拘束領域の入口の方へ先細になって示され，それにより捕捉部材は入口（８１２）へ向きやすくなる。
【００９８】
図１９Ｃに示すクリップ（８００）の裏面は，図示されない裏蓋板（６１１）を取付けるためのねじ孔（８１７，８１８，８１９）を有する。クリップの本明細書に記載した別の形状のクリップでは，ねじ孔（８１９，８２０）は取付け部材を取付けるためのねじを設けるためにある。クリップ（８００）の裏面は本明細書に記載の別の形状のクリップ（３００，３０２，６００）のいずれかと同様でもよい。すなわち，本明細書に記載の簡易脱着機構により，取付け部材はねじ及び／又はピンを備えた連結具で裏面に取付け可能である。当然のことながら，類似した裏面形状を含むクリップ，例えば取付け部材を取付けるための同様の手段は，各クリップと取付け部材を共有し，迅速に交換することを可能にする。
【００９９】
又，当然のことながら，前記クリップは，片手だけで拘束領域から捕捉部材を挿入及び除去することを可能にする。これは他のクリップに対する改良点である。
【０１００】
クリップ（８００）のこの形状は例えばクリップが壁，自動車の内装又は机の側部に取付けられる際に有用である。例えば，捕捉部材に取付けられる携帯電話は，ゲートが開放位置に固定された拘束領域内で，便利に配置されてもよい。重力は，クリップが入口へ上方に向けられる際に，拘束領域（８１１）の閉鎖した底端部に隣接する拘束領域内に電話機を保持する傾向がある。開放位置に固定されるゲート（８３０）により，電話機は繰り返し容易に挿入され，拘束領域（８１１）から取り外される。ゲート（８３０）は，閉じていてもよく，それにより，捕捉部材を捕捉し，拘束領域（８１１）から不意に出ることを防止できるが，これは，電話機を頻繁に使用する場合は必要ではなく又は要求されない。
【０１０１】
捕捉部材／留保部材  
図５Ａ〜５Ｊはプラグ（４００）の形状の捕捉部材の実施例を示す。プラグ（４００）は，プラグ本体（４１０）及び連結ピン（４２０）を備える。連結ピン（４２０）はプラグ本体（４１０）に回動自在に取付けられ，ヘッド（４２１）及びステム（４２２）を備える。連結ピン（４２０）は，枢軸をなす保持杆（４２３）を介して軸支され本体（４１０）に取付けられる。連結ピン（４２０）がプラグ本体（４１０）に対して回動自在に移動することにより，プラグが取付けられた物体が所望の方向に向けられる。例えば，連結ピン（４２０）がプラグ本体（４１０）に固定されている場合，図５Ｊに示すように，プラグ本体（４１０）は，外向きに延長するのとは対照的に，拘束領域（３１１）に対して下方へ延長することが可能である。
【０１０２】
図６Ａ〜７Ｋは，携帯電話（１０）に直接取付け可能なプラグを示す。図６Ａ〜６Ｆでは，プラグ（４０１）は粘着性のタブ（４３０）を使用して電話機に取付けられる。タブ（４３０）は，携帯電話（１０）とタブ（４３０）に配置されるシリンダ（４４０）とに付着される。ブラケット（４５０）は，ブラケット（４５０）の端部をタブ（４３０）に付着してタブ（４３０）に配置する。連結ピン（４６０）は，シリンダ（４４０）に設けたねじ孔（４４１）及び連結ピン（４６０）のねじステム（４６１）を使用してシリンダ（４４０）に取付けられる。上板（４７０）は，プラグ（４０１）の組立を完了するために連結ピン（４６０）及びブラケット（４５０）上に配置される。
【０１０３】
携帯電話（１０）を日常的な使用によるあらゆるダメージから保護することを促進するするために，更なる粘着性のカバー（４７１）を携帯電話の裏面に設けることができる。
【０１０４】
プラグ（４０１）は携帯電話が三次元に動くことを許容し，それにより，電話機がクリップに設けられている時は，電話機が上下左右に自在に移動することが可能となる。図６Ｃに示すように，ピン及び取付けられた電話機は，上下に１８０度移動可能であり，クリップに対しても垂直に，３６０度平らに回転する。上下（枢軸）運動が，１８０度未満，例えば４５度，９０度及び１０５度である実施例も考慮される。このような実施例は，１８０度未満の動きを止めるストッパ，及び／又はピン（４６０）を電話機の裏面と一体或いはほぼ一体の位置に戻すための付勢手段，例えばばねを備えてもよい。更に，ラチェットのような手段が，特定の角度のまま逐次ピン（４６０）を保持してもよい。
【０１０５】
あるいは，図７Ａ及び７Ｂに示すように，プラグ（４０１ａ）はベース（４７２）と連結ピン（４６０）とで，ヒンジピンとして予め作られてもよい。ベース（４７２）の底面（４７３）は，携帯電話に付着されてもよい。連結ピン（４６０）は，図７Ｂの矢印で示すように移動可能である。携帯電話（１０）はクリップ（３００又は６００）に取付けられることができる。
【０１０６】
図６Ａ〜６Ｆに示す実施例のように，図７Ａ及び図７Ｂに示すプラグは本明細書に記載のクリップの拘束領域に配置された場合，ピンと取付けられた電話機とが１８０度，或いはその間のあらゆる角度の範囲で上下に動き，３６０度回転することを許容する。
【０１０７】
プラグは又，図７Ｃ〜７ＫＰに示すように他の有効な実施例を有してもよい。図７Ｃ及び図７Ｄは互いに堅固に取付けられるヘッド（４９１），ネック（４９２）及びベース（４９３）を備えたプラグ（４９０）の実施例を示す。ネック（４９２）の長さは，あらゆる適切な長さでよく，ある実施例では比較的短い（約０．５ｃｍ以下）。連結ピン（４９２）とベース（４９３）との固定角度はあらゆる適切な角度でよく，図７Ｃ及び７Ｄに示すように，例えば９０度，又は４５度又は他のあらゆる角度でもよい。ベース（４９３）は，携帯電話の裏面に付着されてもよい。このプラグは枢支しないが，本明細書に記載のクリップに取付けられる場合，プラグはクリップに対して３６０度平らに回転可能である。
【０１０８】
図７Ｅ及び７Ｆは本体（６５４）及び，ヘッド（６５２）とネック（６５３）とを有するピン（６５１）を備えたプラグ（６５０）を示す。ピン（６５１）は，図７Ｅの矢印で示すように，本体（６５４）の枢支点（６５５）の周囲を１８０度以下に回転可能である。プラグ（６５０）が電話機に取付けられると，ピン（６５１）は電話機の裏面と平行に回転可能である。ピン（６５１）が本発明のクリップ又は留め具に電話機を取付けるために使用されると，ピン（６５１）は外側に回転し，それによりピン（６５１）が本体（６５４）を越えて延長し，通常，プラグ（６５０）が取付けられる電話機の外端部を超えて延長する。ピン（６５１）を使用しない時は，前記ピンは格納位置に対して回転し，溝（６５６）に固定可能である。プラグ（６５１）は又，ピン（６５１）を本体（６５４）に対して所望の角度で固定できるよう付勢及び／又はラチェットで動かされる。当然のことながら，ピン（６５１）が１８０度回転可能に示されているが，それ以外の回転角度も，別の実施例，例えば，０〜３６０度の間で回動自在に回転する実施例，又は固定した枢支点の周囲を自由に回転するプラグの実施例のために考慮される。図７Ｆは，延長及び格納位置にあるピン（６５１）を有するプラグ（６５０）の平面図を示す。
【０１０９】
別の実施例では，プラグ（６７０）は図７Ｇ〜７Ｉに示すように，バヨネット型の形状を有するプラグ（６７０）は，図７Ｈに示す格納位置から図７Ｉに示す延長位置に延長可能である。延長すると，ピン（６７１）はクリップの拘束領域又は留め具の係止領域に容易に配置される。ピン（６７１）は，ヘッド（６７２）及びＴ字状の端部（６７３）を有する。ヘッド（６７２）は，クリップの拘束領域又は留め具の係止領域に挿入可能である。ピン（６７１）が外部に延長され，図７Ｉの本体（６７２ａ）の部分断面平面図に示すようにピンを固定すると，Ｔ字状の端部（６７３）が溝（６７４）に係合する。別の実施例の延長したピン（６７１）は，更なる動きを可能にするために枢支される。
【０１１０】
図７Ｊ及び７Ｋに示す別のプラグ（６７５）は，平板（６７６），ネック（６７７）及びヘッド（６７８）を含む。プラグ（６７５）は，電話機の裏面に平板（６７６）を付着することにより電話機に取付けられる。ネック（６７７）の長さは，当業者により選択されるあらゆる適切な長さでよい。ネックは電話機の外端部を越えて延長するのに充分な長さを有することが好ましい。このプラグは，他のプラグと同様に，本明細書に記載のクリップ又は留め具又は，他のあらゆる適切な装置で結合されてもよい。
【０１１１】
前記プラグ及びピンの材料は，適切な材料であればいかなるものでもよいが，金属が好ましく，ステンレス鋼がより好ましい。前記プラグは，あらゆる適切な対象と結合可能であるが，本明細書に記載のクリップ又は留め具と結合することが好ましい。従って，本明細書に記載のプラグのどれか一つを「捕捉部材」及び／又は「留保部材」として定義してもよい。捕捉部材及び留保部材は，本明細書に記載されておらず，当業者が選択可能な，拘束領域又は係止領域内で捕捉又は留保される別の部材を含む。
【０１１２】
本明細書に記載のプラグで電話を取付けたクリップを着用したユーザは，携帯電話をユーザの側部から探ったり，クリップを傷つけることなく着席可能であることが可能である。更に，ユーザが座っている間，携帯電話はクリップに取付けられる。又，例えば図７Ｂに示すように，プラグ（４０１）は電話機の裏面に取付ける典型的なクリップと比べて比較的薄型である。これにより，電話機をクリップに取付けると，電話機の外側に延長する外形が減少する。例えば図６Ｃ及び６Ｆに示すように，プラグ（４０１）は，電話機（１０）がクリップ（３００）に少なくとも部分的に吊り下げられることを許容し，それによりクリップ（３００）に取付けた場合に，電話機の外側に延長する外形が最小となる。クリップを有する電話機の外側に延長する外形を最小にすることは，物体と衝突又は擦り合うことによる突発的な損傷を減らすであろう。
【０１１３】
プラグは，電話機に取付けられてもよく，それにより，ユーザは，電話機を持上げる，及び／又は，クリップに対してあらゆる角度に回転することにより，ディスプレー，スクリーン，キーパッド，数等を読むために，簡単に正しい方向で（すなわち，スクリーン又はディスプレー及び数の表が上になるように）電話機を見ることができる。例えば，プラグは図６Ｆに示すように，電話機の底部裏面に取付けられてもよい。従って，このように，電話機をクリップから取り外さずに電話機を見ることが可能である。このことは，視覚的に示されるＳＭＳテキストメッセージ又は視覚型メッセージが増加した携帯電話の最近の傾向において価値が上がるだろう。このようなメッセージは，音声通信を必要とせず，従って，通信するために，電話機をユーザの頭部に隣接して配置する必要は無い。この状態では電話機のディスプレーを，本発明のクリップから電話機を取り外さずに見ることができる。これは，より便利なだけではなく，電話機がユーザの頭部に隣接して保持される必要が無い状況で電話機を落とす，或いは紛失する危険性を減らす。
【０１１４】
電話機が実施例に記載のクリップに対して広範囲に回転可能であるため，電話機をユーザに取付けた際に電話機を見ることが更に容易となる。これは，電話機を保管位置，例えばベルトから取り外す必要のある公知のクリップに対する利点である。
【０１１５】
電話機の広範囲な移動は，電話機のアンテナがユーザの体から離れて配置されているような場所に電話機を吊り下げることを可能にする。本発明は，アンテナがユーザの体から離間するように電話機が回転することを可能にすることにより，放射線照射を減らし，ＳＡＲ（比吸収率）を減少させる。これは，ＳＡＲとなる露出量に伴う潜在的な健康面でのリスクを減らす。多くの電話機は，通常，耳部及び送話口を有する面に対向する電話機の裏面に設けられた内蔵アンテナを有する。電話機の裏面に取付ける典型的な公知のクリップを使用して電話機が取付けられると，アンテナはユーザの体に面する。これは，本発明を使用することにより防止可能な，高レベルの潜在的に有害な放射に，不必要にユーザを露出する。
【０１１６】
要約すると，本明細書に記載のプラグの実施例は，電話機に取付けると，電話機が少なくとも部分的に吊り下がり，回転することが可能となり，それにより電話機をクリップに取付けたまま見ることができ，電話機のアンテナがユーザの体から離れて設けられることが許容される。
【０１１７】
図８Ａ及び８Ｂは，固定プラグ（４０２）の一実施例がどのように線状部材（１５０）に取付けられるかを示す。細長い開口（４８０）は，線状部材（１５０）を設けたプラグ（４０２）の一部を形成する。クリンプ（４８１）は，線状部材（１５０）を覆うように設けられ，クリンプ（４８１）及び線状部材（１５０）は，開口内に設けられる。ねじ（４８２）はプラグ  （４０２）に固定され（taped），適所にクリンプ（４８１）を保持するようクリンプ（４８１）と係合する。
【０１１８】
捕捉部材／留保部材への線状部材の取付け
図８Ｃ〜８Ｈは，固定プラグ（７００）を，どのように線状部材（１５０）に取付けるかを示す別の実施例である。本実施例において，プラグ（７００）は，本体キャビティ（７０２）とボール端部（７６１）を有する連結ピン（７６０）とを設けた本体（７０３）を備える。連結ピン（７６０）及びボール端部（７６１）は，例えば本明細書に記載のクリップ（３０２，６００）又は留め具（５００）に取付けるために使用されてもよい。
【０１１９】
内部部材（７０１）は，本体（７０３）の本体キャビティ（７０２）内に着脱自在に設けられる。内部部材（７０１）は，線状部材（１５０）の各端部を保持するために，図示される２つのチャネル（７０４，７０５）を含む。線状部材（１５０）の各端部はチャネル（７０４，７０５）内に設けられ，それにより，図８Ｄに示すように，線状部材（１５０）の結ばれた各端部は，内部部材（７０１）の外端部に配置される。前記結び目は，線状部材（１５０）が各チャネル（７０４，７０５）を滑ることを防ぐ。
【０１２０】
固定された線状部材（１５０）の結ばれた端部を有する内部部材（７０１）は，線状部材（１５０）が孔部（７０６）を通過するように，本体（７０３）の本体キャビティ（７０２）に挿入される。このように，線状部材（１５０）は固定プラグ（７００）に取付けられ，それにより，環状の線状部材（１５０）を形成する。固定プラグ（７００）は，キャビティ内で内部部材（７０１）を被覆し，更に固定する，ゴム製の外部ブーツ（７０７）と共に示される。
【０１２１】
図８Ｃ〜８Ｈに示すように，固定プラグ（７００）は，リングとして示す連結具（７７１）を取付けるための孔部（７７０）を更に有してもよい。リングが示されているが，例えば，紐，ラニヤード，クリップ等を含む他の連結具を使用してもよい。連結具（７７１）は，電話機の既存の取付け孔部を経由して，例えば電話機にプラグ（７００）を取付けるために使用されてもよい（図１１を参照のこと）。連結具（７７１）は，あらゆる適切な物品，例えば鍵，カメラ及びポケットナイフに取付け可能である。
【０１２２】
線状部材をプラグ（７００）内に固定する別の手段，例えば，線状部材の両端部を，結び目が孔部（７０６）より大きくなるよう結び，それにより線状部材が前記孔部を通過することを防止することが考慮される。又，コードロック又はクリンプは，キャビティ（７０２）内で線状部材の端部を固定するために使用されてもよい。
【０１２３】
留め具
図９Ａ，９Ｄは，ベース部材（５２０）として示される第一部材及び摺動部材（５１０）として示される第二部材を備えた留め具（５００）を示す。ベース部材（５２０）は，実質的にベース部材（５２０）の長さに延長したＴ字形の軌道（５２１）を有する。摺動部材（５１０）は，実質的に摺動部材（５１０）の中間部に位置するＴ字形の往復台（５１１）を有する。
【０１２４】
摺動部材（５１０）がベース部材（５２０）に対して往復移動ができるように，往復台（５１１）は軌道（５２１）内にぴったりと適合する。ばね（５０１）は，ベース部材（５２０）に設けたばね凹部（５０２）内に配置される。ばね（５０１）は，摺動部材（５１０）を付勢するために往復台（５１１）に対して当接する。往復台（５１１）が軌道（５２１）内に配置された後，ねじ（５０３）は，ベース部材（５２０）のねじ孔（５０３ａ）に固定され，配置される。ねじ（５０３）は，軌道（５２１）内での往復台（５１１）の動きを制限する。係止領域（５３０）は，ベース部材（５２０）内に形成され，摺動部材（５１０）により被覆される。
【０１２５】
図９Ｅは，線状部材（１５０）を留め具（５００）に取付けるための手段を備えた留め具（５００）の実施例を示す。本実施例では，線状部材の端部は，各端部の各々が結ばれていても両端部が結び合わされていてもよい。図９Ｅに示すように，ベース部材（５２０）は，係止領域（５３０）に対向する端部に，線状部材（図示せず），例えばラニヤード，紐，鎖，ケーブル又はそれらに類した部材の端部を保持するための円形凹部（５５０，５５１，５５２）を備える。
【０１２６】
凹部（５５０，５５１）の各々が線状部材の結ばれた端部を受け，環を形成してもよい。例えば，紐が各入出チャネル（５５５，５５３）を通るよう，結ばれた線状部材の一端は凹部（５５０）に配置されてもよく，線状部材が入出チャネル（５５５，５５４）を通るよう，結ばれた線状部材の対向端部は凹部（５５１）に配置されてもよい。あるいは，両端が結び合わされた紐を含む結ばれた線状部材，ケーブル又は鎖の端部が凹部（５５２）に設けた入出チャネル（５５５）のみを通過してもよい。
【０１２７】
当然のことながら，留め具（５００）の外部形状は，ベース部材（５２０）に対する摺動部材（５１０）の動きを促進するのに適切な形状であればいかなるものでもよい。
【０１２８】
図１０Ａ及び図１０Ｂは留保部材を有する留め具の操作を示す。プラグ（４０２）として示される留保部材を留め具（５００）内に設けるために，摺動部材（５１０）は第一位置へ摺動し，それにより，プラグ（４０２）のヘッド（４０３）は係止領域（５３０）に配置され，ステムは軌道（５２２）内に配置される。これにより往復台（５１１）がばね（５０１）を圧縮する。ヘッド（４０３）が係止領域（５３０）内に配置されると，摺動部材（５１０）を解放し，ばね（５０１）を伸長させ，往復台（５１１）に作用させる。これにより，摺動部材（５１０）がプラグ（４０２）を第二位置に保留する係止領域（５３０）を閉じる。
【０１２９】
図１１は，ベルトに取付けられたクリップ（６００）を示す。クリップ（６００）は，ラニヤードとして示す線状部材（１５０）を介して電話機（１０）に取付けられるプラグ（７００）を固定するプラグ（７００）は又，例えば，電話機（１０）の既存の取付け点に固定リングを取付けることにより，電話機（１０）に直接取付け可能である。図１１も，ラニヤードによりベルト通しに取付けた留め具（５００）に取付けたプラグ（７００）によりベルト通しに取付けたカメラ（１０Ａ）を示す。クリップ，留め具及びプラグの他の組合せは考慮され，このような組合せは，当業者により確認される。
【０１３０】
リトラクタ
図１２Ａ〜１８Ｃは，本発明の一実施例のリトラクタ（１００）を示す。前記リトラクタは，ハウジング（１１０），リール（１２０），コイルばね（１３０），挿入部（１４０）及び線状部材（１５０）を備える。
【０１３１】
ハウジング（１１０）は，第一ハウジング部（１１１）及び第二ハウジング部（１１２）から形成される。第一ハウジング部（１１１）及び第二ハウジング部（１１２）は，様々な材料（例えば一般的なプラスチック又は金属）から作られてもよい。孔部（１１３）は，リトラクタ（１００）を物品，例えば図１７Ａ〜１８Ｃに示すカラビナに取付けるための第一ハウジング部の周囲に設けられる。
【０１３２】
第一ハウジング部（１１１）は，リール（１２０）が取付けられる軸（１１４）を備える。ねじ孔（１１５）は，実質的に軸（１１４）の長さに延長する。第二ハウジング部（１１２）は，第一ハウジング部（１１１）及び第二ハウジング部（１１２）が接続されると，取付け孔（１１６）がねじ孔（１１５）と対峙するように配置される取付け孔（１１６）を含む。ねじ（１１７）は，第一ハウジング部（１１１）及び第二ハウジング部（１１２）を共に保持するために，取付け孔（１１６）に配置され，ねじ孔（１１５）にねじ留めされる。当然のことながら，第一ハウジング部（１１１）及び第二ハウジング部（１１２）を共に保持するための他の手段，例えば，リベットボルト又は他の適切な連結具の使用は考慮される。別の実施例では，第一ハウジング部（１１１）と第二ハウジング部（１１２）とは係合されてもよい。
【０１３３】
第一ハウジング部（１１１）は，挿入部（１４０）が挿入される凹部（１１８）も含む。挿入部（１４０）は，該挿入部（１４０）を凹部（１１８）に押し込むことによって凹部（１１８）内に配置される。挿入部（１４０）は，締まりばめにより凹部（１１８）内で保持される。あるいは，図１６Ａ及び１６Ｂに示すように，凹部（１１８）内に挿入部（１４０）を保持するために，凹部（１１８）及び挿入部（１４０）は別々に形成されてもよい。図１６Ａでは，挿入部（１４０）は，その端部の周囲にチャネル（１４０Ａ）を有し，凹部（１１８）はその端部の周囲に設けた対応する接合点（１１８Ａ）を有する。図１６Ｂでは，挿入部（１４０）及び凹部（１１８）の端部に角度がついている。挿入部（１４０）は，凹部（１１８）から取り外し自在であることが好ましいが，凹部（１１８）に挿入部（１４０）を保持するための他の適切な手段は，例えば挿入部（１４０）と凹部（１１８）とを接着するために接着剤を塗布することを含んでもよい。
【０１３４】
図１６Ｃに示すように，挿入部（１４０）は広告用材料，時計，光，コンパス等を含んでもよく，従って，リトラクタ（１００）の機能を付加していない。図１６Ｄに示すように，挿入部（１４０）は，第一ハウジング部（１１１）内に設けたスロット（１４１）を使用して交換可能である。スロット（１４１）は，ねじ回し又はナイフのような道具が挿入部（１４０）の端部に接近し，凹部（１１８）から挿入部（１４０）をこじ開けて取り外すことを可能にする。
【０１３５】
リール（１２０）は，スナップロックを使用して機械的に結合される２つのリール部を含む。リール（１２０）は，内部チャンバ（１２１）及び外部チャネル（１２２）を有する。コイルバネ（１３０）は，内部チャンバ（１２１）内に配置され，軸（１１４）に接続している。線状部材（１５０）は，外部チャネル（１２２）を包囲し，コイルバネ（１３０）と接続する。潤滑ワッシャ（１２３）は両方のリール部に配置され，リールがハウジング（１１０）内を簡単に回転することを許容する。
【０１３６】
線状部材（１５０）は，破損しにくく切れにくい高強度材料から作られる。図１２Ａ，１２Ｄ及び１２Ｅに詳細に示すように，線状部材（１５０）は，ストッパ部材（１６０）を通過した後にハウジングの出口孔（１１９）を通過する。
【０１３７】
ストッパ部材（１６０）はストッパピン（１６１），ケーシング（１６２），受部材（１６３）及びコイルバネ（１６４）を備える。ストッパピン（１６１）がケーシング（１６２）から外向きに付勢されるように，ストッパピン（１６１）はケーシング（１６２）内に設けられる。ストッパ孔（１６５）にストッパピン（１６１）を設け，線状部材（１５０）はストッパ孔（１６５）を介して供給される。線状部材（１５０）は，ストッパピン（１６１）が押圧されない限り受部材（１６３）に対して強制的に当接される。ストッパピン（１６１）は，ハウジング（１００）を介して外側へ延長し，ハウジング（１１０）から外側に押圧される。
【０１３８】
リトラクタ（１００）は，線状部材（１５０）をリトラクタ（１００）から引張ることにより作動する。これにより，軸（１１４）及びバネ（１３０）の周囲を回転するリール（１２０）が締め付けられる。更に線状部材（１５０）を引張るとストッパピン（１６１）が押圧され，それにより，線状部材（１５０）がストッパ孔（１６５）を通過可能となる。しかし，線状部材（１５０）が引張られない時は，線状部材（１５０）は，受部材（１６３）に対して当接し，線状部材（１５０）が格納されることを防ぐ。線状部材（１５０）を格納する際は，ストッパピン（１６１）を押圧し，ストッパ孔（１６５）を介して線状部材（１５０）をスムーズに通過させる。バネ（１３０）はリール（１２０）を再度巻き取り，線状部材（１５０）が再び外部チャネル（１２２）の周囲を包囲する。
【０１３９】
図１３Ａ〜１３Ｃは，リトラクタが，どのように携帯電話に直接取付けられるかを示す。本実施例では，接着剤が塗布される平坦なヘッド（１８１）を有する取付けねじ（１８０）が使用される。保護被覆（１８２）は，接着剤と接触するために取り外され，ヘッド（１８１）は携帯電話（１０）上の所望の位置に配置される。その後，取付けねじ（１８０）は取付け孔（１１６）に配置され，リトラクタ（１００）のねじ孔（１１５）にねじ留めされる。
【０１４０】
図１４Ａ〜１４Ｃは取付けねじ（１８０）の別の実施例を示す。本実施例では，ねじは携帯電話（１０）を被覆するケース（１１）の付属品である。取付けねじ（１８０）は，該取付けねじ（１８０）をケース（１１）に縫い込むこような従来の手段を使用してケース（１１）に取付けられる。取付けねじ（１８０）は前述のように取付け孔（１１６）を介して配置され，リトラクタ（１００）のねじ孔（１１５）にねじ留めされる。
【０１４１】
図１５Ａ〜１５Ｅは，リトラクタ（１００）がどのように衣服又は類似の物品に取付けられるかを示している。本実施例では，取付けピン（１９０）及び受け板（１９１）が使用される。取付けピンは，リトラクタ（１００）に取付けられるねじ山（１９２）を有する。その後，取付けピン（１９０）はリトラクタ（１００）を取付ける衣服（１９３）を介して配置される。その後，受け板（１９１）は衣服（１９３）から取付けピン（１９０）が外れることを防ぐために，取付けピン（１９０）上に配置される。図１５Ｄは，プラグ（４００）に取付けられる留め具（５００）を経て線状部材（１５０）に取付けられた電話機（１０）を示す。留め具（５００）及びプラグ（４００）は，本明細書で詳述する。プラグ（４００）は又，本明細書，例えば図１３Ｃ及び図１４Ｃに示される実施例に記載のクリップ（６００）に取付けられてもよい。
【０１４２】
図１７Ａ〜１７Ｄは，リトラクタ（１００）に取付けられるカラビナ（２００）を示す。カラビナ（２００）は，該カラビナ（２００）の円弧状部分に，間隔を空けた一連の突起（２０１）を有するよう変更された。突起のうちの２つは固定され，その他の突起（２０１Ａ）は調節可能である。
【０１４３】
突起（２０１）は，ハウジング（１１０）の周囲の孔部（１１３）内に突起（２０１）を設けることにより，カラビナ（２００）にリトラクタ（１００）を取付けるために使用される。リトラクタ（１００）は調節自在な突起（２０１Ａ）をカラビナ（２００）の円弧状部分に対して内側にねじ留めすることによりカラビナ（２００）に固定され，それにより調節可能な突起（２０１Ａ）は各孔部（１１３）に係合する。この時，カラビナ（２００）からリトラクタ（１００）を取り外すことは出来ない。図１７Ｄは，プラグ（４００）と留め具（５００）とにより，カラビナ（２００）と電話機（１０）とに取付けられるリトラクタ（１００）を示す。
【０１４４】
図１８Ａ〜１８Ｃは，カラビナ（２００）の更なる実施例を示す。リトラクタ（１００）は，前述した同様の方法でカラビナ（２００）に取付けられる。カラビナ（２００）の他の形状は，当業者により選択されてもよい。又，カラビナ（２００）は，当業者により決定される任意の適当な数の突起（２０１，２０１Ａ）を使用してリトラクタ（１００）に取付けられてもよい。更に，前記の通り，カラビナ（２００）及びリトラクタ（１００）が分離可能であることが好ましいが，カラビナ（２００）及びリトラクタ（１００）が分離可能ではなく，例えば結合した実施例は考慮される。
【０１４５】
当然のことながら，様々な他の変更及び改造は，本発明の範囲から逸脱することなく記載されている実施例により成されてもよい。
【図面の簡単な説明】
【０１４６】
【図１Ａ】は，本発明の実施例によるクリップの正面図である。
【図１Ｂ】は，図１Ａのクリップの右側面図である。
【図１Ｃ】は，図１Ａのクリップの左側面図である。
【図１Ｄ】は，捕捉部材の拘束領域への挿入を図示した，図１Ａのクリップの操作側面図である。
【図１Ｅ】は，図１Ｄのクリップの断面端面図である。
【図１Ｆ】は，拘束領域からの捕捉部材の退出を図示した図１Ａのクリップの更なる操作側面図である。
【図１Ｇ】は，図１Ｆのクリップの断面端面図である。
【図１Ｈ】は，プラグによりリトラクタに取付けたクリップの斜視図である。
【図１Ｉ】は，プラグにより携帯電話に直接取付けたクリップの斜視図である。
【図１Ｊ】は，本発明の別の実施例によるクリップの斜視図である。
【図１Ｋ】は，図１Ｊのクリップの分解斜視図である。
【図１Ｌ】は，図１Ｊのクリップの正面図である。
【図１Ｍ】は，図１Ｊのクリップの側面図である。
【図１Ｎ】は，図１Ｊのクリップの背面図である。
【図１Ｏ】は，図１Ｊのクリップの更なる背面図である。
【図１Ｐ】は，接着片を有する取付け部材を備えたクリップの側面図である。
【図１Ｑ】は，クリップ形の取付け部材を備えたクリップの側面図である。
【図１Ｒ】は，ピン形の取付け部材を備えたクリップの更なる側面図である。
【図１Ｓ】は，環状の取付け部材を備えたクリップの側面図である。
【図２Ａ】は，裏板が取り外された，調整可能な取付け孔部が開放位置にある本発明の別の実施例のクリップの背面図である。
【図２Ｂ】は，調節可能な取付け孔部が閉鎖位置にある図２Ａに示すクリップを示す。
【図２Ｃ】は，図２Ａに示すクリップの本体の正面図である。
【図２Ｄ】は，図２Ｃに示すクリップの本体の側面図である。
【図２Ｅ】は，図２Ｃに示すクリップの本体の底面図である。
【図２Ｆ】は，図２Ｃに示すクリップの本体の上面図である。
【図２Ｇ】は，図２Ｃに示すクリップの本体の背面図である。
【図２Ｈ】は，図２Ｃに示す本体の切開垂直断面図である。
【図２Ｉ】は，図２Ｃに示すクリップの本体の切開横断面図である。
【図３Ａ】は，図２Ａ〜２Ｉに示すクリップに取付け可能な蓋板の正面図である。
【図３Ｂ】は，図３Ａに示す蓋板の側面図である。
【図３Ｃ】は，図３Ａに示す蓋板の背面図である。
【図３Ｄ】は，図２Ａ〜２Ｉのクリップと図３Ａ〜３Ｃに示す蓋板の拡大斜視図を示す。
【図４Ａ】は，環状の取付け部材の背面図である。
【図４Ｂ】は，図４Ａの環状の取付け部材の側面図である。
【図４Ｃ】は，円錐形のピンを有する板取付け部材の平面図である。
【図４Ｄ】は，図４Ｃの板取付け部材の側面図である。
【図４Ｅ】は，円形のピンを有する板取付け部材の平面図である。
【図４Ｆ】は，図４Ｅの板取付け部材の側面図である。
【図４Ｇ】は，クリップ取付け部材の背面図である。
【図４Ｈ】は，図４Ｇのクリップ取付け部材の側面図である。
【図４Ｉ】は，図４Ｇのクリップ取付け部材の上面図である。
【図４Ｊ】は，フック取付け部材の平面図である。
【図４Ｋ】は，図４Ｊのフック取付け部材の側面図である。
【図４Ｌ】は，クリップの裏面に取付けた図４Ｊ及び図４Ｋのフック取付け部材を示す。
【図４Ｍ】は，クリップの裏面に取付けたフック取付け部材を備えたクリップの平面図を示す。
【図４Ｎ】は，図４Ｍの側面図を示す。
【図５Ａ】は，連結ピンの側面図である。
【図５Ｂ】は，図５Ａの連結ピンを有するプラグの側面図である。
【図５Ｃ】は，図５Ｂのプラグの更なる側面図である。
【図５Ｄ】は，図５Ｂのプラグの別の更なる側面図である。
【図５Ｅ】は，別の連結ピンの側面図である。
【図５Ｆ】は，図５Ｅの連結ピンを有するプラグの側面図である。
【図５Ｇ】は，図５Ｆのプラグの更なる側面図である。
【図５Ｈ】は，図５Ｆのプラグの別の更なる側面図である。
【図５Ｉ】は，図５Ｂに示すプラグの斜視図である。
【図５Ｊ】は，線条部材でクリップとリトラクタとに取付けたプラグの斜視図である。
【図６Ａ】は，携帯電話に取付けた別のプラグの分解斜視図である。
【図６Ｂ】は，携帯電話に取付けた図６Ａのプラグの斜視図である。
【図６Ｃ】は，クリップと携帯電話とに取付けたプラグの斜視図である。
【図６Ｄ】は，クリップと携帯電話とに取付けたプラグの側面図である。
【図６Ｅ】は，クリップと携帯電話とに取付けたプラグの更なる側面図である。
【図６Ｆ】は，ユーザがディスプレー及びキーパッドを正しい配向で見ることが出来るように電話機の裏面に取付けられた，クリップに取付けたプラグの斜視図である。
【図７Ａ】は，携帯電話に取付け可能な別のプラグの平面図である。
【図７Ｂ】は，図７Ａのプラグの側面図である。
【図７Ｃ】は，携帯電話に取付け可能な更に別のプラグの平面図である。
【図７Ｄ】は，図７Ｃのプラグの側面図である。
【図７Ｅ】は，回転自在なプラグの斜視図である。
【図７Ｆ】は，ピンが延長位置及び格納位置（透視）にある図７Ｅに示すプラグの平面図である。
【図７Ｇ】は，バヨネット型プラグの本体部分の側面図である。
【図７Ｈ】は，ピンが格納されたバヨネット型プラグの部分切開平面図である。
【図７Ｉ】は，ピンが延長した図７Ｈに示すプラグの図である。
【図７Ｊ】は，プラグを装置に取付けるための平板を含むプラグの別の実施例の平面図である。
【図７Ｋ】は，図７Ｊに示すプラグの側面図である。
【図８Ａ】は，線状部材に取付けた固定プラグの横断面図である。
【図８Ｂ】は，線状部材に取付けられた固定プラグの横断面図である。
【図８Ｃ】は，構成要素が組み立てられていない固定プラグの別の実施例の斜視図である。
【図８Ｄ】は，線状部材が内部部材に取付けられた図８Ｃに示すプラグの斜視図である。
【図８Ｅ】は，内部部材がプラグに挿入された図８Ｃに示すプラグの斜視図である。
【図８Ｆ】は，線状部材を取付けた，完全に組立てられた図８Ｃに示すプラグの斜視図である。
【図８Ｇ】は，固定リングを取付ける前の図８Ｆに示すプラグの斜視図である。
【図８Ｈ】は，固定リングを取付けた図８Ｇに示すプラグの斜視図である。
【図９Ａ】は，留め具の横断面図である。
【図９Ｂ】は，図９Ａの留め具の上断面図である。
【図９Ｃ】は，図９Ａの留め具の分解横断面図である。
【図９Ｄ】は，図９Ｂの留め具の上断面図である。
【図９Ｅ】は，図９Ａの留め具の実施例の二分の一の上面図である。
【図１０Ａ】は，留め具に取付けた固定プラグの横断面図である。
【図１０Ｂ】は，留め具に取付けた固定プラグの横断面図である。
【図１１】はパーソナル装置に取付けた本発明のクリップ及び留め具の斜視図である。
【図１２Ａ】は，本発明の実施例によるリトラクタの平断面図である。
【図１２Ｂ】は，図１２Ａのリトラクタの横断面図である。
【図１２Ｃ】は，図１２Ａのリトラクタの分解図である。
【図１２Ｄ】は，図１２Ａのリトラクタの部分分解斜視図である。
【図１２Ｅ】は，図１２Ａのリトラクタの別の部分分解斜視図である。
【図１３Ａ】は，取付けねじの斜視図である。
【図１３Ｂ】は，図１３Ａの取付けねじの更なる斜視図である。
【図１３Ｃ】は，図１３Ａ及び図１３Ｂの取付けねじを使用して携帯電話に取付けたリトラクタの斜視図である。
【図１４Ａ】は，別の取付けねじの斜視図である。
【図１４Ｂ】は，図１４Ａの取付けねじの更なる斜視図である。
【図１４Ｃ】は，図１４Ａ及び図１４Ｂの取付けねじを使用して携帯電話ケースに取付けたリトラクタの斜視図である。
【図１５Ａ】は，取付けピンの斜視図である。
【図１５Ｂ】は，図１５Ａの取付けピンの更なる斜視図である。
【図１５Ｃ】は，図１５Ａ及び図１５Ｂの取付けピンを使用する受け板の斜視図である。
【図１５Ｄ】は，図１５Ａ及び図１５Ｂの取付けピンを使用して衣服に取付けたリトラクタの斜視図である。
【図１５Ｅ】は，図１５Ａ及び図１５Ｂの取付けピンを使用して衣服に取付けたリトラクタの分解斜視図である。
【図１６Ａ】は，リトラクタの別のハウジングの部分横断面図である。
【図１６Ｂ】は，リトラクタの更に別のハウジングの部分横断面図である。
【図１６Ｃ】は，リトラクタに設けたリトラクタ挿入部の斜視図である。
【図１６Ｄ】は，スロット変位孔部の拡大側面図である。
【図１７Ａ】は，本発明の実施例によるカラビナの部分平面図である。
【図１７Ｂ】は，リトラクタに取付けた図１７Ａのカラビナの平面図である。
【図１７Ｃ】は，図１７Ｂのカラビナ及びリトラクタの側面図である。
【図１７Ｄ】は携帯電話に取付けた図１７Ｂのカラビナ及びリトラクタの平面図である。
【図１８Ａ】は本発明の一実施例によるカラビナの平面図である。
【図１８Ｂ】は，リトラクタに取付けた図１８Ａのカラビナの平面図である。
【図１８Ｃ】は携帯電話に取付けた図１８Ｂのカラビナ及びリトラクタの正面図である。
【図１９Ａ】は，一つの入口を有する拘束領域を備えたクリップの実施例の平面図を示す。
【図１９Ｂ】は，図１９Ａのクリップの横断面図である。
【図１９Ｃ】は，図１９Ａのクリップの背面図である。
【図１９Ｄ】は，ゲートが閉鎖位置にある図１９Ａのクリップの部分上断面図である。
【図１９Ｅ】は，ゲートが開放と閉鎖との移行位置にある図１９Ａのクリップの部分上断面図である。
【図１９Ｆ】は，ゲートが開放位置にある図１９Ａのクリップの部分上断面図である。
【図１Ａ】
2005515006.tif 000003
【図１Ｂ】
2005515006.tif 000004
【図１Ｃ】
2005515006.tif 000005
【図１Ｄ】
2005515006.tif 000006
【図１Ｅ】
2005515006.tif 000007
【図１Ｆ】
2005515006.tif 000008
【図１Ｇ】
2005515006.tif 000009
【図１Ｈ】
2005515006.tif 000010
【図１Ｉ】
2005515006.tif 000011
【図１Ｊ】
2005515006.tif 000012
【図１Ｋ】
2005515006.tif 000013
【図１Ｌ】
2005515006.tif 000014
【図１Ｍ】
2005515006.tif 000015
【図１Ｎ】
2005515006.tif 000016
【図１Ｏ】
2005515006.tif 000017
【図１Ｐ】
2005515006.tif 000018
【図１Ｑ】
2005515006.tif 000019
【図１Ｒ】
2005515006.tif 000020
【図１Ｓ】
2005515006.tif 000021
【図２Ａ】
2005515006.tif 000022
【図２Ｂ】
2005515006.tif 000023
【図２Ｃ】
2005515006.tif 000024
【図２Ｄ】
2005515006.tif 000025
【図２Ｅ】
2005515006.tif 000026
【図２Ｆ】
2005515006.tif 000027
【図２Ｇ】
2005515006.tif 000028
【図２Ｈ】
2005515006.tif 000029
【図２Ｉ】
2005515006.tif 000030
【図３Ａ】
2005515006.tif 000031
【図３Ｂ】
2005515006.tif 000032
【図３Ｃ】
2005515006.tif 000033
【図３Ｄ】
2005515006.tif 000034
【図４Ａ】
2005515006.tif 000035
【図４Ｂ】
2005515006.tif 000036
【図４Ｃ】
2005515006.tif 000037
【図４Ｄ】
2005515006.tif 000038
【図４Ｅ】
2005515006.tif 000039
【図４Ｆ】
2005515006.tif 000040
【図４Ｇ】
2005515006.tif 000041
【図４Ｈ】
2005515006.tif 000042
【図４Ｉ】
2005515006.tif 000043
【図４Ｊ】
2005515006.tif 000044
【図４Ｋ】
2005515006.tif 000045
【図４Ｌ】
2005515006.tif 000046
【図４Ｍ】
2005515006.tif 000047
【図４Ｎ】
2005515006.tif 000048
【図５Ａ】
2005515006.tif 000049
【図５Ｂ】
2005515006.tif 000050
【図５Ｃ】
2005515006.tif 000051
【図５Ｄ】
2005515006.tif 000052
【図５Ｅ】
2005515006.tif 000053
【図５Ｆ】
2005515006.tif 000054
【図５Ｇ】
2005515006.tif 000055
【図５Ｈ】
2005515006.tif 000056
【図５Ｉ】
2005515006.tif 000057
【図５Ｊ】
2005515006.tif 000058
【図６Ａ】
2005515006.tif 000059
【図６Ｂ】
2005515006.tif 000060
【図６Ｃ】
2005515006.tif 000061
【図６Ｄ】
2005515006.tif 000062
【図６Ｅ】
2005515006.tif 000063
【図６Ｆ】
2005515006.tif 000064
【図７Ａ】
2005515006.tif 000065
【図７Ｂ】
2005515006.tif 000066
【図７Ｃ】
2005515006.tif 000067
【図７Ｄ】
2005515006.tif 000068
【図７Ｅ】
2005515006.tif 000069
【図７Ｆ】
2005515006.tif 000070
【図７Ｇ】
2005515006.tif 000071
【図７Ｈ】
2005515006.tif 000072
【図７Ｉ】
2005515006.tif 000073
【図７Ｊ】
2005515006.tif 000074
【図７Ｋ】
2005515006.tif 000075
【図８Ａ】
2005515006.tif 000076
【図８Ｂ】
2005515006.tif 000077
【図８Ｃ】
2005515006.tif 000078
【図８Ｄ】
2005515006.tif 000079
【図８Ｅ】
2005515006.tif 000080
【図８Ｆ】
2005515006.tif 000081
【図８Ｇ】
2005515006.tif 000082
【図８Ｈ】
2005515006.tif 000083
【図９Ａ】
2005515006.tif 000084
【図９Ｂ】
2005515006.tif 000085
【図９Ｃ】
2005515006.tif 000086
【図９Ｄ】
2005515006.tif 000087
【図９Ｅ】
2005515006.tif 000088
【図１０Ａ】
2005515006.tif 000089
【図１０Ｂ】
2005515006.tif 000090
【図１１】
2005515006.tif 000091
【図１２Ａ】
2005515006.tif 000092
【図１２Ｂ】
2005515006.tif 000093
【図１２Ｃ】
2005515006.tif 000094
【図１２Ｄ】
2005515006.tif 000095
【図１２Ｅ】
2005515006.tif 000096
【図１３Ａ】
2005515006.tif 000097
【図１３Ｂ】
2005515006.tif 000098
【図１３Ｃ】
2005515006.tif 000099
【図１４Ａ】
2005515006.tif 000100
【図１４Ｂ】
2005515006.tif 000101
【図１４Ｃ】
2005515006.tif 000102
【図１５Ａ】
2005515006.tif 000103
【図１５Ｂ】
2005515006.tif 000104
【図１５Ｃ】
2005515006.tif 000105
【図１５Ｄ】
2005515006.tif 000106
【図１５Ｅ】
2005515006.tif 000107
【図１６Ａ】
2005515006.tif 000108
【図１６Ｂ】
2005515006.tif 000109
【図１６Ｃ】
2005515006.tif 000110
【図１６Ｄ】
2005515006.tif 000111
【図１７Ａ】
2005515006.tif 000112
【図１７Ｂ】
2005515006.tif 000113
【図１７Ｃ】
2005515006.tif 000114
【図１７Ｄ】
2005515006.tif 000115
【図１８Ａ】
2005515006.tif 000116
【図１８Ｂ】
2005515006.tif 000117
【図１８Ｃ】
2005515006.tif 000118
【図１９Ａ】
2005515006.tif 000119
【図１９Ｂ】
2005515006.tif 000120
【図１９Ｃ】
2005515006.tif 000121
【図１９Ｄ】
2005515006.tif 000122
【図１９Ｅ】
2005515006.tif 000123
【図１９Ｆ】
2005515006.tif 000124
【手続補正書】
【提出日】平成16年2月23日(2004.2.23)
【手続補正１】
【補正対象書類名】特許請求の範囲
【補正対象項目名】全文
【補正方法】変更
【補正の内容】
【特許請求の範囲】
【請求項１】
本体と，
前記第一及び第二開口を備えた，少なくとも一つの捕捉部材を捕捉可能な拘束領域と，
前記第一開口を封鎖可能な第一ゲートと，
第二開口を封鎖可能な第二ゲートとを備えたクリップであって，
各ゲートが少なくとも一つの捕捉部材が拘束領域に入出できるよう開き，前記各ゲートが少なくとも一つの捕捉部材を捕捉するよう閉じることが可能なクリップ。
【請求項２】
前記第一開口が入口であり，前記第二開口が出口である請求項１記載のクリップ。
【請求項３】
前記第一ゲートが入口ゲートであり，前記第二ゲートが出口ゲートである請求項１記載のクリップ。
【請求項４】
前記拘束領域が該拘束領域を通って延長する凹部により形成された請求項１記載のクリップ。
【請求項５】
前記拘束領域が，実質的に前記拘束領域の長さに延長した挿入可能なライナを含む請求項１記載のクリップ。
【請求項６】
少なくとも一つのゲートが押圧部材である請求項１記載のクリップ。
【請求項７】
前記押圧部材が板である請求項６記載のクリップ。
【請求項８】
前記押圧部材が回動自在に前記本体に取付けられた請求項７記載のクリップ。
【請求項９】
前記押圧部材が入口ゲートである請求項８記載のクリップ。
【請求項１０】
前記出口ゲートが前記捕捉部材を前記拘束領域から解放することを許容する出口部材を含む請求項３記載のクリップ。
【請求項１１】
前記出口部材が出口ピンである請求項１０記載のクリップ。
【請求項１２】
前記拘束領域の前記第一及び第二入口に向かって先細になる位置決めチャネルを更に備えた請求項１記載のクリップ。
【請求項１３】
前記本体の裏面が取付け部材を受けるよう適合された請求項１記載のクリップ。
【請求項１４】
前記本体の前記裏面が，留め具を受ける少なくとも一つの受孔部を含む請求項１３記載のクリップ。
【請求項１５】
前記受孔部が，前記留め具を前記受孔部内に固定するよう付勢された調節可能な孔部である請求項１４記載のクリップ。
【請求項１６】
取付け部材が前記調整可能な孔部と係合することにより少なくとも一つの留め具で前記本体の前記裏面に取付け可能である請求項１５のクリップ。
【請求項１７】
前記本体に取付けられた取付け部材を更に備えた請求項１記載のクリップ。
【請求項１８】
前記取付け部材が環，板，クリップ及びフックから成るグループから選択される請求項１７記載のクリップ。
【請求項１９】
前記拘束領域に位置する捕捉部材を更に含む請求項１７記載のクリップ。
【請求項２０】
前記捕捉部材が装置に取付けられる請求項１９記載のクリップ。
【請求項２１】
本体と、
少なくとも一つの捕捉部材を捕捉可能な線状の拘束領域と、
外部表面に設けた一以上の入出ノッチを備え、前記拘束領域に近接するゲートを備えたクリップであって、
前記ゲートが、前記拘束領域内に前記捕捉部材を保持する閉鎖位置から、前記拘束領域からの前記捕捉部材の挿入及び除去を促す開放位置へ移動可能であり、これにより、前記開放位置が、前記拘束領域と対峙される各入出ノッチにより得られるクリップ。
【請求項２２】
前記ゲートが前記拘束領域の長手軸に対して横方向に移動可能である請求項２１記載のクリップ。
【請求項２３】
前記ゲートがピンを備える請求項２１記載のクリップ。
【請求項２４】
本体を含む留め具であって、
前記本体は、
前記本体に位置し、少なくとも一つの係止部材を係止するための使用に適合される拘束領域と、
前記本体に設けた軌道と、
前記軌道を移動可能な往復台とを備え、
前記往復台が、前記係止部材を前記係止ゾーンに係止することを促す係止位置から、前記係止位置から及び前記係止位置への前記係止部材の挿入及び除去を促す位置へと前記軌道を移動可能であり、
それにより、前記拘束領域が前記軌道の軸と対峙される留め具。
【請求項２５】
前記往復台が前記本体に対して直線的に移動するよう適合された請求項２４記載の留め具。
【請求項２６】
前記往復台が前記係止位置に位置するよう付勢される請求項２５記載の留め具。
【国際調査報告】
2005515006.tif 000125
2005515006.tif 000126
2005515006.tif 000127